(57)【要約】【課題】  濃硫酸を用いたバイオマスの単糖化において、従来の方法より高い単糖変換率を得ることを目的とする。【解決手段】  バイオマスから単糖を製造する方法であって、原料であるバイオマスを、１０〜４０質量％の硫酸中で、６０〜９５℃の温度で処理する第１処理工程１と、該第１処理工程１で処理した第１処理工程処理物を、固液分離する第１固液分離工程２と、該第１固液分離工程２により分離した固形物を、６５〜８５質量％の硫酸中で、３０〜７０℃の温度で処理する第２処理工程７と、該第２処理工程７で処理した第２処理工程処理物を、２０〜６０質量％の硫酸中で、４０〜１００℃の温度で処理する第３処理工程８と、該第３処理工程８で処理した第３処理工程処理物を、固液分離する第２固液分離工程９と、前記第２固液分離工程９により分離した濾液（２）を、前記第１処理工程１に導入する濾液（２）導入工程１１とを有する。【選択図】        図１
2005229821.tif 000002
【特許請求の範囲】
【請求項１】
バイオマスから単糖を製造する方法であって、
原料であるバイオマスを、１０〜４０質量％の硫酸中で、６０〜９５℃の温度で処理する第１処理工程と、
該第１処理工程で処理した第１処理工程処理物を、固液分離する第１固液分離工程と、
該第１固液分離工程により分離した固形物を、６５〜８５質量％の硫酸中で、３０〜７０℃の温度で処理する第２処理工程と、
該第２処理工程で処理した第２処理工程処理物を、２０〜６０質量％の硫酸中で、４０〜１００℃の温度で処理する第３処理工程と、
該第３処理工程で処理した第３処理工程処理物を、固液分離する第２固液分離工程と、
前記第２固液分離工程により分離した濾液（２）を、前記第１処理工程に導入する濾液（２）導入工程とを有することを特徴とする単糖製造方法。
【請求項２】
請求項１に記載の単糖製造方法であって、
前記第１固液分離工程により分離した濾液（１）を、糖と硫酸に分離する糖・酸分離工程を有することを特徴とする単糖製造方法。
【請求項３】
請求項１又は２に記載の単糖製造方法であって、
前記糖・酸分離工程により分離した糖化液を、０．５〜５質量％の硫酸中で、１１０〜１５０℃の温度で処理する第４処理工程を有することを特徴とする単糖製造方法。
【請求項４】
前記糖・酸分離工程における糖と硫酸の分離に、擬似移動層クロマト分離装置を使用することを特徴とする請求項２又は３に記載の単糖製造方法。
【請求項５】
前記糖・酸分離工程で分離した硫酸の低濃度成分を、前記第３処理工程に導入し、
前記硫酸の高濃度成分を、硫酸回収・濃縮工程に導入することを特徴とする請求項２〜４のいずれか１項に記載の単糖製造方法。
【請求項６】
前記第２処理工程が、前記第１固液分離工程により分離した前記固形物に、前記硫酸を噴霧・混合し、混練する工程を有することを特徴とする請求項１〜５のいずれか１項に記載の単糖製造方法。
【請求項７】
前記第１固液分離工程により分離した前記固形物を洗浄した洗浄濾液（１）と、前記第２固液分離工程により分離したリグニンからなる固形物を洗浄した洗浄濾液（２）とを、前記第３処理工程に使用することを特徴とする請求項１〜６のいずれか１項に記載の単糖製造方法。
【請求項８】
前記バイオマスが、セルロース系バイオマスであることを特徴とする請求項１〜７のいずれか１項に記載の単糖製造方法。
【請求項９】
原料であるバイオマスに１０〜４０質量％の硫酸を添加し、これらを６０〜９５℃の温度で処理して第１処理工程処理物とし、
この第１処理工程処理物を、第１固液分離工程により固液分離した固形物に、
６５〜８５質量％の硫酸を噴霧し、該硫酸と前記固形物とを回転して混合して硫酸噴霧・混合物とする硫酸噴霧混合装置と、
この硫酸噴霧混合装置からの硫酸噴霧・混合物に、せん断力を与えて混練して混練物とする連続混練装置と、
この連続混練装置からの混練物たる第２処理工程処理物に、水又は低濃度硫酸を添加して前記硫酸濃度を２０〜６０質量％まで希釈し、これを４０〜１００℃の温度で処理する加水分解反応装置を備え、
前記硫酸噴霧混合装置から連続的に前記加水分解反応装置まで、順次中間物を送給するようにしたことを特徴とする単糖製造装置。
【発明の詳細な説明】
【技術分野】
【０００１】
本発明は、バイオマス資源を、エネルギー又は各種化学品製造用原料として有効に活用するためのバイオマス変換技術に関するものであり、特に、硫酸を用いてバイオマスから単糖を製造する方法及び単糖製造装置に関するものである。
【背景技術】
【０００２】
従来より、針葉樹、広葉樹の他、間伐材や製材加工廃材又は建築廃材等の木質系バイオマスや、稲わら、サトウキビ絞り粕（バガス）、ビート絞り粕その他各種草本系植物から、エタノール、アミノ酸、有機酸その他各種化成品の製造原料となるグルコース、キシロース、マンノース等の単糖類を製造する技術の研究開発が行われてきた。
【０００３】
そのなかでも、硫酸を用いてバイオマスを加水分解する方法として、米国アーケノール社が提案した「アーケノール法」が知られている（例えば特許文献１参照）。
この「アーケノール法」では、バイオマス原料中のセルロースとヘミセルロースを効率よく単糖化するため、各々を別々に反応させる２段階加水分解方法を採用している。この製造方法の工程図を、図５に示す。「アーケノール法」では、先ず第１段目の脱結晶化（１）及び加水分解反応（１）にあっては、ヘミセルロースの過分解を最小限に抑えることを目的に緩和な条件で処理を行う。次いで、固液分離（１）を行うが、この固液分離（１）後の固形物（フィルターケーキ）には未反応のセルロースが多量に含まれているため、この固形物に対して、多量に残存するセルロースの分解を目的に第２段目の脱結晶化（２）及び加水分解反応（２）を行うものである。これにより、総合的にヘミセルロース及びセルロースからのＣ５単糖及びＣ６単糖の収率向上を期しているのが、「アーケノール法」特徴である。
【特許文献１】特表平１１−５０６９３４号公報
【発明の開示】
【発明が解決しようとする課題】
【０００４】
しかしながら、「アーケノール法」では、原料に含まれるホロセルロースを十分単糖化できず、単糖変換率が低いという問題点がある。
【０００５】
本発明は、この問題を解決し、濃硫酸を用いたバイオマスの単糖化において、従来の方法より高い単糖変換率を得ることを目的としている。
【０００６】
また、本発明は、設備規模とコストの低減した単糖製造装置を提供することを目的とする。
【課題を解決するための手段】
【０００７】
かかる課題を解決するため、
請求項１にかかる発明は、バイオマスから単糖を製造する方法であって、原料であるバイオマスを、１０〜４０質量％の硫酸中で、６０〜９５℃の温度で処理する第１処理工程と、該第１処理工程で処理した第１処理工程処理物を、固液分離する第１固液分離工程と、該第１固液分離工程により分離した固形物を、６５〜８５質量％の硫酸中で、３０〜７０℃の温度で処理する第２処理工程と、該第２処理工程で処理した第２処理工程処理物を、２０〜６０質量％の硫酸中で、４０〜１００℃の温度で処理する第３処理工程と、該第３処理工程で処理した第３処理工程処理物を、固液分離する第２固液分離工程と、前記第２固液分離工程により分離した濾液（２）を、前記第１処理工程に導入する濾液（２）導入工程とを有することを特徴とする単糖製造方法である。
【０００８】
請求項２にかかる発明は、請求項１に記載の単糖製造方法であって、前記第１固液分離工程により分離した濾液（１）を、糖と硫酸に分離する糖・酸分離工程を有することを特徴とする単糖製造方法である。
【０００９】
請求項３にかかる発明は、請求項１又は２に記載の単糖製造方法であって、前記糖・酸分離工程により分離した糖化液を、０．５〜５質量％の硫酸中で、１１０〜１５０℃の温度で処理する第４処理工程を有することを特徴とする単糖製造方法である。
【００１０】
請求項４にかかる発明は、前記糖・酸分離工程における糖と硫酸の分離に、擬似移動層クロマト分離装置を使用することを特徴とする請求項２又は３に記載の単糖製造方法である。
【００１１】
請求項５にかかる発明は前記糖・酸分離工程で分離した硫酸の低濃度成分を、前記第３処理工程に導入し、前記硫酸の高濃度成分を、硫酸回収・濃縮工程に導入することを特徴とする請求項２〜４のいずれか１項に記載の単糖製造方法である。
【００１２】
請求項６にかかる発明は、前記第２処理工程が、前記第１固液分離工程により分離した前記固形物に、前記硫酸を噴霧・混合し、混練する工程を有することを特徴とする請求項１〜５のいずれか１項に記載の単糖製造方法である。
【００１３】
請求項７にかかる発明は、前記第１固液分離工程により分離した前記固形物を洗浄した洗浄濾液（１）と、前記第２固液分離工程により分離したリグニンからなる固形物を洗浄した洗浄濾液（２）とを、前記第３処理工程に使用することを特徴とする請求項１〜６のいずれか１項に記載の単糖製造方法である。
【００１４】
請求項８にかかる発明は、前記バイオマスが、セルロース系バイオマスであることを特徴とする請求項１〜７のいずれか１項に記載の単糖製造方法である。
【００１５】
請求項９にかかる発明は、原料であるバイオマスに１０〜４０質量％の硫酸を添加し、これらを６０〜９５℃の温度で処理して第１処理工程処理物とし、この第１処理工程処理物を、第１固液分離工程により固液分離した固形物に、６５〜８５質量％の硫酸を噴霧し、該硫酸と前記固形物とを回転して混合して硫酸噴霧・混合物とする硫酸噴霧混合装置と、この硫酸噴霧混合装置からの硫酸噴霧・混合物に、せん断力を与えて混練して混練物とする連続混練装置と、この連続混練装置からの混練物たる第２処理工程処理物に、水又は低濃度硫酸を添加して前記硫酸濃度を２０〜６０質量％まで希釈し、これを４０〜１００℃の温度で処理する加水分解反応装置を備え、前記硫酸噴霧混合装置から連続的に前記加水分解反応装置まで、順次中間物を送給するようにしたことを特徴とする単糖製造装置である。
【発明の効果】
【００１６】
本発明の単糖製造方法によれば、１０〜４０質量％の硫酸で、ヘミセルロースを糖化することで、単糖の過分解を防ぎ、単糖変換率を向上させると共に、セルロースを主成分とする固形分を糖化する第３処理工程により得られた固液分離後の濾液（２）を、ヘミセルロースの糖化である第１処理工程に使用することで、硫酸の使用量の低減と濾液（１）中の単糖濃度の高濃度化を図ることができる。
【００１７】
また、本発明の単糖製造装置によれば、硫酸噴霧混合装置から連続的に加水分解反応装置まで、順次中間物を送給できるようにしたことにより、設備規模とコストを低減することができる。
【発明を実施するための最良の形態】
【００１８】
以下、本発明の実施の形態に係る単糖製造方法の例を図面に示し、詳細に説明する。
【００１９】
〈第１の実施形態〉
図１は、本発明の第１の実施の形態に係る単糖製造方法の工程図を示すものである。本発明の単糖製造方法は、原料であるバイオマスを加水分解反応により、単糖を生成するための糖化処理をする第１処理工程１と、第１固液分離工程２と、第１固液分離工程２により分離した固形物の第２処理工程７と、第３処理工程８と、第２固液分離工程９と、濾液（２）導入工程１１とから構成されている。
【００２０】
原料となるバイオマスとしては、紙、木材、建材、草、わら、天然繊維、食品等が用いられる。また、古紙、廃木材、廃建材、残飯等の産業廃棄物として排出されたものも使用することができる。そのなかでも、セルロース系バイオマスであることが好ましい。このようなセルロース系バイオマスとしては、セルロース、ヘミセルロース、リグニンを主成分とするバイオマスを挙げることができる。
このバイオマスは、切断、粉砕されて適当な大きさの粉末又はチップ状とされ、必要に応じて異物を除去したものが好ましい。そのなかでも、後述する混練操作を容易にするため、厚さ１０ｍｍ以下の棒状や板状のものが、より好ましい。
【００２１】
［第１処理工程］
第１処理工程１では、原料であるバイオマスに１０〜４０質量％、好ましくは２０〜３０質量％の硫酸を添加し、これらを６０〜９５℃、好ましくは８０〜９０℃の温度に加熱して加水分解反応による糖化処理を行う。第１処理工程１の処理時間は、１０〜１２０分とするのが好ましく、３０〜６０分とするのがより好ましい。
この糖化処理により、バイオマス中のヘミセルロースの大部分はキシロース、マンノース、グルコース等の糖に転化し、糖と、未反応のセルロースと、硫酸を含んだ第１処理工程処理物（スラリー）が得られる。
【００２２】
このとき、硫酸濃度を１０〜４０質量％とするのは、バイオマス中のヘミセルロースをほぼ完全に加水分解反応するためであり、かつ生成したオリゴ糖類及びキシロース等の単糖の過分解を抑制するためである。これにより、ヘミセルロースからの単糖変換率を向上させることができる。
また、処理温度を６０〜９５℃とするのは、６０℃未満では単糖への変換率が低く、未反応の可溶性オリゴ糖類が残ってしまうからである。また、温度が９５℃を超えると、生成したオリゴ糖類及び単糖の過分解が促進され、単糖変換率が低下するからである。
【００２３】
また、第２バッチ以降の第１処理工程１では、１０〜４０質量％濃度の硫酸に代えて又はこの硫酸と共に、後述する濾液（２）導入工程１１により、濾液（２）をバイオマスに添加する。第２固液分離工程９により分離した濾液（２）を再利用することにより、プロセス全体での硫酸の使用量を低減し、硫酸回収・濃縮に要するエネルギーを低減すると共に、最終的な糖液を高濃度に保持し、単糖変換率を向上させることができる。
【００２４】
［第１固液分離工程］
第１処理工程処理物は、第１固液分離工程２で濾過され、濾液（１）と未反応のセルロースを多量に含む固形物とに分離される。
【００２５】
この固形物には、残渣の糖と硫酸が付着しているため、これら糖と硫酸の回収率向上の観点から、固形物の洗浄を行う。洗浄には、５０〜９０℃の温水を用いる。固形物を洗浄した洗浄濾液（１）は、一旦別の容器に溜められる。次いで、この容器に溜めた洗浄濾液（１）を用いて再度固形物の洗浄を行う。このような洗浄方法を「カウンターフロー式」と呼ぶが、これを３〜５回程行い、最後にこの洗浄濾液（１）を、第３処理工程８に使用する。
【００２６】
この洗浄濾液（１）は、糖、硫酸共に低濃度である。したがって、これを第１固液分離工程により分離した濾液（１）に混ぜると、この濾液（１）が希釈され、糖・酸分離工程３後の糖化液と硫酸の濃度も薄くなり、単糖及び硫酸濃縮に余分なエネルギーを必要とする不都合が生じる。
しかし、この洗浄濾液（１）を第３処理工程８に使用するならば、糖の若干の過分解はあるものの、洗浄濾液（１）中の糖と硫酸をプロセスで無駄なく有効に活用でき、糖と硫酸の回収率を向上させることができる。
【００２７】
［第２処理工程］
第１固液分離工程２により分離した固形物は、上述の洗浄後、乾燥され、第２処理工程７に供される。第２処理工程７では、この固形物を６５〜８５質量％、好ましくは７０〜７５質量％の硫酸中で、３０〜７０℃、好ましくは４０〜５５℃の温度にて、この固形物中のホロセルロース（セルロース及びヘミセルロースの総称）、特に多量に残存する未反応のセルロースの分子間結合を解離して、非晶質・可溶化の処理を行う。この第２処理工程７により、次の第３処理工程８でのセルロース又はヘミセルロースの加水分解反応による糖化処理が容易に進行するようになる。
【００２８】
このとき、硫酸の濃度を６５〜８５質量％とするのは、硫酸の濃度が６５質量％未満であるとセルロースの非晶質・可溶化率が下がってしまい、一方、８５質量％を超えると可溶化したオリゴ糖類及び単糖の過分解が促進される問題を生じるからである。
また、処理温度を３０〜７０℃とするのは、非晶質・可溶化反応は発熱を伴い、処理温度が８０〜９０℃を超えると、温度が急激に上昇する「暴走反応」が生じ、単糖への変換率低下を招くからである。また、第２処理工程７の処理時間は、０．５〜３０分とするのが好ましい。
【００２９】
この第２処理工程７では、固形物中のバイオマス質量（絶対乾燥量）に対しての硫酸量（１００％換算）として、硫酸／固形物中のバイオマス質量（絶対乾燥量）混合比を０．３〜５．０とするのが好ましい。硫酸／固形物中のバイオマス質量（絶対乾燥量）混合比を０．３〜５．０とすることにより、従来の「アーケノール法」に比べて、少量の硫酸でホロセルロースを非晶質・可溶化することができる。
【００３０】
［第３処理工程］
高粘度の反応物である第２処理工程処理物は、第３処理工程８に送られる。この第３処理工程８では、水又は硫酸を第２処理工程処理物に加えて、硫酸濃度を２０〜６０質量％、好ましくは２０〜４０質量％まで希釈し、これを４０〜１００℃、好ましくは８０〜１００℃の温度で加水分解反応による糖化処理を行う。
水又は硫酸を加えて硫酸濃度を希釈すると、発熱反応により溶液の温度が上昇するため、投入エネルギーを低減することができる。この第３処理工程８の処理時間は、１０〜６０分とするのが好ましい。この糖化処理により、セルロース又はヘミセルロースはグルコース、キシロース等の糖に転化し、糖と硫酸を含んだ第３処理工程処理物（スラリー）が得られる。
【００３１】
このとき、硫酸濃度を２０〜６０質量％とするのは、硫酸の濃度が６０質量％を超えると生成したオリゴ糖類及び単糖の過分解が促進され、単糖変換率が低下するからである。また、処理温度を４０〜１００℃とするのは、温度が１００℃を超えると、生成したオリゴ糖類及び単糖の過分解が同様に促進され、単糖変換率が低下するからである。
【００３２】
さらに、この後の第２固液分離工程９により分離した濾液（２）は、上述したように濾液（２）導入工程１１により第１処理工程１に再利用されるため、この第３処理工程８での硫酸濃度を２０〜６０質量％とすることにより、第１処理工程１での硫酸の濃度調整を容易とすることができる。
【００３３】
［第２固液分離工程］
第３処理工程処理物（スラリー）は、第２固液分離工程９に送られる。この第２固液分離工程９では、第３処理工程処理物を固液分離（濾過）し、濾液（２）とリグニンからなる固形物（フィルターケーキ）に分離する。この濾液（２）は、濾液（２）導入工程１１により第１処理工程１に送られる。
また、この固形物（フィルターケーキ）には、残渣の糖と硫酸が付着しているため、これら糖と硫酸の回収率向上と固形物であるリグニンのボイラー燃料として利用の観点から、固形物の洗浄を行う。洗浄には、５０〜９０℃の温水を用い、上述の「カウンターフロー式」と同様に行う。最後にこの洗浄濾液（２）を、上述したように第３処理工程８での硫酸濃度を希釈するための水として利用する。
【００３４】
この洗浄濾液（２）も洗浄濾液（１）と同様に、糖、硫酸共に低濃度である。したがって、これを第１固液分離工程２により分離した濾液（１）に混ぜると、この濾液（１）が希釈され、糖・酸分離工程３後の糖化液と硫酸の濃度も薄くなり、単糖及び硫酸濃縮に余分なエネルギーを必要とする不都合が生じる。
しかし、この洗浄濾液（２）を第３処理工程８に使用するならば、糖の若干の過分解はあるものの、洗浄濾液（２）中の糖と硫酸をプロセスで無駄なく有効に活用でき、糖と硫酸の回収率を向上させることができる。
【００３５】
［濾液（２）導入工程］
濾液（２）導入工程１１では、第２固液分離工程９により分離した濾液（２）を、第１処理工程１に導入する。第２バッチ以降、この濾液（２）は、当該バッチ以前のバッチ処理における第２処理工程７及び第３処理工程８によりセルロースから得られた単糖を含んだ硫酸である。これを第１処理工程１で再利用すると、新たなバイオマス原料からの糖成分もさらに含むことになる。
この濾液（２）を第１処理工程１で再利用することにより、原料バイオマス中のセルロースとヘミセルロースの両方に由来する単糖を最終糖液として得られる。これにより、プロセス全体での硫酸の使用量を低減し、硫酸回収・濃縮に要するエネルギーを低減すると共に、最終的な糖液を高濃度に保持し、単糖変換率を向上させることができる。
【００３６】
本発明の単糖製造方法をバッチ処理で説明すると、第１バッチで製造を終了するのではなく、第２バッチ以降まで繰り返すことで、濾液（１）中の単糖濃度の高濃度化を図ることができる。これは、第１処理工程１では、原料に含まれるヘミセルロースを単糖化し、第２処理工程７及び第３処理工程８で、セルロースを単糖化することに起因する。
【００３７】
第１バッチでは、第１処理工程１において未使用の低濃度硫酸を導入し、原料であるバイオマス中のヘミセルロースを単糖化したものが最終糖液となるため、濾液（１）中の糖濃度は低い。
それに対し、第２バッチ以降では、当該バッチ以前のバッチ処理における第２処理工程７及び第３処理工程８によりセルロースから得られた単糖を含んだ硫酸が、濾液（２）導入工程１１によって第１処理工程１にリサイクルされ、第１処理工程１で再使用されるため、原料バイオマス中のセルロースとヘミセルロースの両方に由来する単糖が、最終糖液となり、濾液（１）中の単糖濃度を高くすることができる。
【００３８】
〈第２の実施形態〉
図２は、本発明の第２の実施の形態に係る単糖製造方法の工程図を示すものである。本実施形態は、第１の実施形態に濾液（１）の糖・酸分離工程３と硫酸回収・濃縮工程１０を加えたものである。第１の実施形態と異なる部分を説明し、それ以外は第１の実施形態と同様であるから、その説明は省略する。
【００３９】
［糖・酸分離工程］
第２バッチ以降、濾液（２）導入工程１１により、第１処理工程１に導入した濾液（２）で処理した第１処理工程処理物にあっては、その糖濃度は、第１バッチの濾液（２）の糖濃度よりも高くなっている。この第１処理工程処理物から第１固液分離工程２により分離した濾液（１）は、糖・酸分離工程３に送られ、糖と酸に分離される。この糖・酸分離には、一般的なクロマト分離装置、イオン交換膜分離装置等を用いることができる。そのなかでも、擬似移動層クロマト分離装置を用いるのが好ましい。
【００４０】
この擬似移動層クロマト分離装置とは、特願２００３−２７９９９７号に記載したように、陰イオン交換樹脂等の充填材を充填した複数のカラムＣ１，Ｃ２・・・Ｃ８を、直列に、かつ閉回路として管路で接続したものである。この擬似移動層クロマト分離装置の初段のカラムＣ１に濾液を注入して、移動速度の速い糖を主体とする流出液（以下、「ラフィネート」という。）を２段目のカラムＣ２から導出し、移動速度の遅い硫酸を主体とする流出液（以下、「エクストラクト」という。）を溶離水の注入によって６段目のカラムＣ６から導出するもので、この移動速度の差によってラフィネート（主成分は糖化液）とエクストラクト（主成分は硫酸）とに分離するものである。
【００４１】
［硫酸回収・濃縮工程］
硫酸を主体とする流出液（エクストラクト）は、硫酸回収・濃縮工程１０に送られる。この硫酸回収・濃縮には、蒸発缶やエネルギー節約のために多重効用缶を用いることができる。これらにより、７０〜８０質量％程度に濃縮された高濃度硫酸は、第２処理工程７で使用する６５〜８５質量％の硫酸として利用することができる。
【００４２】
〈第３の実施形態〉
図３は、本発明の第３の実施の形態に係る単糖製造方法の工程図を示すものである。本実施形態は、第２の実施形態に第４処理工程４を加えており、さらに糖・酸分離工程３を改良したものである。第２の実施形態と異なる部分を説明し、それ以外は第２の実施形態と同様であるから、その説明は省略する。
【００４３】
［第４処理工程］
この第４処理工程４では、糖・酸分離工程３後の糖を主体とする流出液（ラフィネート（糖化液））に残存する未反応のオリゴ糖類を単糖に変換するための単糖化処理を行う。糖・酸分離工程３後の糖化液（ラフィネート）には、糖の他に極僅かの硫酸が含まれている。この糖化液（ラフィネート）をそのままの硫酸濃度で、あるいは濃度調整した後、加熱し、加水分解反応により単糖化処理する。この時の硫酸濃度は、０．５〜５質量％、好ましくは１〜３質量％で、温度は１１０〜１５０℃、好ましくは１２０〜１３５℃である。また、処理時間は、３０〜９０分とするのが好ましい。
この第４処理工程４は、従来の「アーケノール法」にはない工程である。この単糖化処理を行うことにより、糖化液（ラフィネート）中に残存する未反応オリゴ糖類が再度加水分解反応するため、最終単糖変換率をさらに向上させることができる。
【００４４】
［改良した糖・酸分離工程］
糖・酸分離工程３後の硫酸を主体とする流出液（エクストラクト）は、さらに高濃度硫酸分画（ハイ・エクストラクト）成分と低濃度硫酸分画（ロー・エクストラクト）成分とに分けられる。本実施形態では、分離した硫酸の低濃度成分（ロー・エクストラクト）は、第３処理工程８に導入される。硫酸の低濃度成分（ロー・エクストラクト）を第３処理工程８に利用することにより、硫酸濃縮にかかるエネルギーを大きく低減することができる。
一方、分離した硫酸の高濃度成分（ハイ・エクストラクト）は、硫酸回収・濃縮工程１０に供せられる。
【００４５】
硫酸の低濃度成分（ロー・エクストラクト）を第３処理工程８に導入し、また、硫酸の高濃度成分（ハイ・エクストラクト）を硫酸回収・濃縮工程１０に導入することにより、硫酸の回収エネルギーをさらに低減することができる。
【００４６】
第２の実施形態では、この第３処理工程８に硫酸を添加することは考慮していないため、第２処理工程７と第３処理工程８での硫酸／固形物中のバイオマス質量（絶対乾燥量）混合比については、どちらも同じ質量混合比であることが、糖回収の点から好ましい。
しかしながら、本実施形態では、第３処理工程８で硫酸を添加できるため、先の第２処理工程７における硫酸／固形物中のバイオマス質量（絶対乾燥量）混合比が低くても、この第３処理工程８でその値が高くなるよう調節することができ、最終的な糖回収率を第２の実施形態と同程度にすることができる。
そして、第２処理工程７に投入する硫酸量を低くすることで、硫酸回収のエネルギーを低減することができる。
【００４７】
さらに、第３処理工程８で硫酸を添加できるため、加水分解反応後の第３処理工程処理物（スラリー）の粘度が高くなり過ぎるのを防いで、次工程以降のハンドリングを容易にし、特に第２固液分離工程９で濾過する際に、濾液（２）が取れないのを避けることができる。
【００４８】
本発明においては、第２処理工程７と第３処理工程８をバッチ処理で行うことができる他に、この第２処理工程７を、固形物に硫酸を噴霧・混合する工程５と、この硫酸噴霧・混合物を混練する工程６から構成することができる。そして、この噴霧・混合工程５と、混練工程６と、第３処理工程８を連続させて、硫酸噴霧混合装置から加水分解反応装置まで、順次中間物を送給するようにし、糖を連続的に製造することができる。
図４には、噴霧・混合と、混練と、加水分解反応を連続させた単糖製造装置の概略図を示す。
【００４９】
この単糖製造装置は、硫酸噴霧混合装置２００と、連続混練装置３００と、加水分解反応装置４００から構成されている。そして、硫酸噴霧混合装置２００から連続的に加水分解反応装置４００まで、順次中間物が送給されるように構成されている。
【００５０】
原料であるバイオマスを第１処理工程１に供して第１処理工程処理物とし、これを第１固液分離工程２により固液分離した固形物は、乾燥した後、図４に示した単糖製造装置によれば、まずスクリューフィーダー、テーブルフィーダー等の原料（固形物）定量供給装置１００により硫酸噴霧装置（固形物／硫酸混合装置）２００へと送られる。
【００５１】
この硫酸噴霧混合装置２００は、高濃度硫酸を噴霧するためのスプレー又はシャワーの他に、硫酸と固形物を混合するための回転羽根を備えているのが望ましい。この硫酸噴霧混合装置２００内で、固形物は、高濃度硫酸を均一に噴霧されると共に、比較的高速で回転する羽根によって回転されて混ぜ合わされ、硫酸噴霧・混合物になる。この時の硫酸の濃度は、第２処理工程７と同様の６５〜８５質量％、好ましくは７０〜７５質量％である。
【００５２】
次いで、この硫酸噴霧・混合物は、ニーダ等の連続混練装置３００に送られる。この連続混練装置３００は、硫酸を均一に噴霧した固形物中の微細組織に硫酸を充分浸透させ、固形物中の残存する結晶セルロースの非晶質化反応及び可溶化反応を促進させることを目的とするものである。したがって、この連続混練装置３００は、硫酸噴霧・混合物にせん断応力を与える機構を有しているものが望ましい。
この硫酸噴霧・混合物を、第２処理工程７と同様の温度３０〜７０℃、好ましくは４０〜５５℃に加熱し、せん断力を与えて０．５〜３０分混練して、混練物とする。
【００５３】
そして、混練して粘着性のゲル状になった混練物は、加水分解反応用の水又は硫酸を加えて、押出し流れ型（Ｐｌｕｇ  ｆｌｏｗ）又は完全混合型（ＣＳＴＲ）の加水分解反応装置４００に送られる。この加水分解反応装置４００にあっては、少量の硫酸水溶液でも混練物（第２処理工程処理物）が均一に温水に溶解し、加水分解反応を促進させる条件を保持できる機能を有しているものが望ましい。
この加水分解反応の条件は、硫酸濃度を２０〜６０質量％、好ましくは２０〜４０質量％、４０〜１００℃、好ましくは８０〜１００℃の温度とし、加水分解反応時間を１０〜６０分とする。
【００５４】
さらに、各装置で生成した中間物は、硫酸噴霧混合装置２００から連続的に加水分解反応装置４００まで、順次に後続の装置へと送給される。順次に中間物を送給できるようにしたことにより、本発明の単糖製造装置にあっては、設備規模とコストを低減することができる。
【００５５】
本発明では、第１処理工程１をヘミセルロースの加水分解反応条件に、第２処理工程７とその後の第３処理工程８をセルロースの可溶化と加水分解反応条件に、各々着目した反応条件に設定することにより、セルロースとヘミセルロースからの糖への転化を各々最適な反応条件とすることができるため、最終的な単糖変換率を向上させることができる。
【実施例】
【００５６】
以下、実施例により、本発明をさらに詳しく説明する。本発明は、下記実施例に何ら制限されるものではない。
【００５７】
［実施例１］
〈第１バッチ処理〉
（第１処理工程）
反応器容積１０Ｌの混合攪拌器（ダルトン製）に、含水率６．７質量％、０．６３４ｋｇのホロセルロースが含まれている杉（針葉樹）チップ（原料−１）１．０ｋｇと３０質量％の硫酸３．０ｋｇを投入し、混合しながら８５℃まで昇温後、６０分間温度を一定に保持して、第１処理工程である加水分解反応による糖化処理を行った。
【００５８】
（第１固液分離工程）
その後、これを４０℃まで降温した。糖化処理終了後、容器中の第１処理工程処理物全量を真空ポンプで吸引濾過し、未反応のセルロース成分及びリグニンからなる固形物（フィルターケーキ）と濾液（１）とに、第１固液分離工程により固液分離した。
【００５９】
得られた第１バッチ処理後の濾液（１）中の単糖濃度（質量％）を、高速液体クロマトグラフィー（ＨＰＬＣ）装置（島津製作所製）を用いて測定した。その値と全液量から、
単糖量（ｇ）＝全液量（質量）×単糖濃度（質量％）
の式により、濾液（１）中の単糖量を算出した。その結果、第１バッチ処理後の濾液（１）中のグルコース、キシロース、マンノース等の単糖類（以下、「単糖」という。)の単糖量は、０．１２７ｋｇ(１回目のヘミセルロース加水分解後)（生成単糖−１）であった。
【００６０】
第１固液分離工程により分離した固形物（フィルターケーキ）を、先と同様の方法で真空ポンプで吸引しながら濾過し、約３０ｋｇの温水を用いて、洗浄濾液（１）中の残存硫酸が検出限界以下の濃度になるまで、洗浄濾過（１）を行った。
次いで、残渣（残存未反応セルロース及びリグニンの混合物）を約７０℃で一昼夜真空乾燥した。その際、残渣の水分含有率は１．５質量％、全質量は０．７７４ｋｇであった。
【００６１】
（第２処理工程）
この乾燥残渣と７２質量％の硫酸１．２５ｋｇを、あらかじめ５０℃に保持した反応器容積１０Ｌの上記混合攪拌器に投入し、６０分間混練し、第２処理工程である非晶質・可溶化反応を行った。６０分後のこの混練物（第２処理工程処理物）の温度は、約５８℃であった。
【００６２】
（第３処理工程）
さらに、この混練物に硫酸濃度が３０質量％になるまで温水を注入し、９５℃まで昇温したのち、１時間にわたり温度を一定に保持して、第３処理工程である加水分解反応による糖化処理を行った。
【００６３】
（第２固液分離工程）
次いで、第３処理工程処理物を、第２固液分離工程により固液分離した。まず、糖化処理終了後、容器中の第３処理工程処理物を約５０℃まで冷却した後、真空ポンプで吸引濾過し、固形物（フィルターケーキ）と濾液（２）に分離した。
得られた第１バッチ処理後の濾液（２）中の単糖濃度（質量％）を上記高速液体クロマトグラフィー（ＨＰＬＣ）装置により測定し、単糖量を算出した。濾液（２）中の単糖量は、０．３２３ｋｇ（１回目のセルロース加水分解後）（生成単糖−２）であった。
さらに、固形物（フィルターケーキ）中に含まれる液体分を、少量の温水で洗浄濾過（２）し、洗浄濾液（２）を得た。
【００６４】
〈第２バッチ処理〉
（濾液（２）導入工程〜第１処理工程〜第１固液分離工程）
新たに、含水率６．７質量％、０．６３４ｋｇのホロセルロースが含まれている杉チップ（原料−２）に、第１バッチ処理後の濾液（２）を投入し（濾液（２）導入工程）、再度第１処理と第１固液分離を行った。
得られた第２バッチ処理後の濾液（１）中の単糖濃度（質量％）を、先と同様に測定した。この結果、第２バッチ処理後の濾液（１）中の単糖量は、０．４５３ｋｇ（２回目のヘミセルロース加水分解後）（生成単糖−３）であった。
この単糖量（生成単糖−３）中には、上記第１バッチ処理後の濾液（２）中の単糖量（生成単糖−２）も含まれているため、これを差し引いた値は、０．１３０ｋｇ（２回目のヘミセルロース加水分解後から１回目のセルロース加水分解後を引いたもの）（生成単糖−４）となる。
【００６５】
第２バッチ処理の第１固液分離で得られた固形物（フィルターケーキ）を、先と同様の方法で洗浄濾過（１）及び乾燥操作を行った。
その際、乾燥後の残渣の水分含有率３．０質量％、全質量は０．７８３ｋｇであった。
【００６６】
（第２処理工程〜第３処理工程〜第２固液分離工程）
この乾燥残渣を原料として、同様に第２処理工程である非晶質・可溶化反応と、第３処理工程である加水分解反応による糖化処理を行った。
次いで、第３処理工程処理物を、同様に第２固液分離工程により固液分離した。
得られた第２バッチ処理後の濾液（２）中の単糖量は、０．３２０ｋｇ（２回目のセルロース加水分解後）（生成単糖−５）であった。
さらに、固形物（フィルターケーキ）中に含まれる液体分を、少量の温水で洗浄濾過（２）した。
【００６７】
〈第３バッチ処理〉
（濾液（２）導入工程〜第１処理工程〜第１固液分離工程）
得られた第２バッチ処理後の濾液（２）を新たな杉チップ（原料−３）に投入し、第１処理と第１固液分離を行った。
得られた第３バッチ処理後の濾液（１）中の単糖量（３回目のヘミセルロース加水分解後）（生成単糖−６）は、生成単糖−３とほぼ同じ量であった。
【００６８】
（糖・酸分離工程）
第３バッチ処理後の濾液（１）を、擬似移動層クロマト分離装置を用いて糖と酸に分離した。この時、糖と硫酸の回収率は、各々９８．５％、９７％であった。
この流出糖化液（ラフィネート）中の硫酸濃度は１．２質量％であった。この流出糖化液を、容積１００Ｌの大型オートクレーブを用いて、１２１℃で３０分間保持して、第４処理工程である単糖化処理を行った。
得られた糖液中の単糖量は、０．５１１ｋｇであった。この単糖量から、杉を原料としたホロセルロース質量を基準としたホロセルロースから単糖への変換率を求めると、８０．６％であった。
また、上記操作において、原料−２以降で使用した硫酸使用量は、０．９ｋｇ（＝１．２５×０．７２）であり、硫酸／バイオマスの質量混合比は、０．９６であった。
【００６９】
［実施例２］
〈第１バッチ処理〉
（第１処理工程〜第１固液分離工程）
実施例１と同様にして、含水率７．５質量％、０．６７１ｋｇのホロセルロースが含まれているコジイ（広葉樹））チップ（原料−１）１．０ｋｇを、第１処理工程である加水分解反応による糖化処理し、第１固液分離工程により固液分離した。
【００７０】
実施例１と同様の方法で、第１バッチ処理後の濾液（１）中の単糖量を求めると、０．１８ｋｇ（生成単糖−１）であった。
【００７１】
次いで、実施例１と同様にして、真空濾過、洗浄濾過（１）、真空乾燥を行った。残渣の水分含有率は２．２質量％、全質量は０．６８４ｋｇであった。
【００７２】
（第２処理工程〜第３処理工程〜第２固液分離工程）
実施例１と同様に、この乾燥残渣を用いて、第２処理工程である非晶質・可溶化反応を行った。６０分後のこの混練物（第２処理工程処理物）の温度は、約６２℃であった。
さらに、この混練物を第３処理工程である加水分解反応による糖化処理を行い、第２固液分離工程により固液分離、真空濾過、洗浄濾過（２）した。
第１バッチ処理後の濾液（２）中の単糖量は、０．３４５ｋｇ（１回目のセルロース加水分解後）（生成単糖−２）であった。
【００７３】
〈第２バッチ処理〉
（濾液（２）導入工程〜第１処理工程〜第１固液分離工程）
実施例１と同様に、第１バッチ処理後の濾液（２）を、新たなコジイチップ（原料−２）に投入し、再度第１処理と第１固液分離を行った。
この結果、第２バッチ処理後の濾液（１）中の単糖量は、０．５２９ｋｇ（２回目のヘミセルロース加水分解後）（生成単糖−３）であった。
この単糖量（生成単糖−３）中には、上記第１バッチ処理後の濾液（２）中の単糖量（生成単糖−２）も含まれているため、これを差し引いた値は、０．１８４ｋｇ（２回目のヘミセルロース加水分解後から１回目のセルロース加水分解後を引いたもの）（生成単糖−４）となる。
【００７４】
第２バッチ処理の第１固液分離で得られた固形物（フィルターケーキ）を、実施例１と同様に洗浄濾過（１）及び乾燥操作を行った。
その際、乾燥後の残渣の水分含有率１．７質量％、全質量は０．６９１ｋｇであった。
【００７５】
（第２処理工程〜第３処理工程〜第２固液分離工程）
この乾燥残渣を原料として、実施例１と同様に第２処理工程である非晶質・可溶化反応と、第３処理工程である加水分解反応による糖化処理、第２固液分離工程により固液分離を行った。
得られた第２バッチ処理後の濾液（２）中の単糖量は、０．３３９ｋｇ（２回目のセルロース加水分解後）（生成単糖−５）であった。
【００７６】
〈第３バッチ処理〉
（濾液（２）導入工程〜第１処理工程〜第１固液分離工程）
得られた第２バッチ処理後の濾液（２）を、新たなコジイチップ（原料−３）に投入し、第１処理と第１固液分離を行った。
得られた第３バッチ処理後の濾液（１）中の単糖量（３回目のヘミセルロース加水分解後）（生成単糖−６）は、生成単糖−３とほぼ同じ量であった。
【００７７】
（糖・酸分離工程）
第３バッチ処理後の濾液（１）を、実施例１と同様に、糖と酸に分離した。この時、糖と硫酸の回収率は、各々９８．７％、９６．７％であった。
この流出糖化液（ラフィネート）中の硫酸濃度は１．２質量％であった。この流出糖化液を、実施例１と同様に、第４処理工程である単糖化処理を行った。
得られた糖液中の単糖量は、０．５９８ｋｇであった。この単糖量から、コジイを原料としたホロセルロース質量を基準としたホロセルロースから単糖への変換率を求めると、８９．１％であった。
また、上記操作において、原料−２以降で使用した硫酸使用量は、０．９ｋｇ（＝１．２５×０．７２）であり、硫酸／バイオマスの質量混合比は、０．９７であった。
【００７８】
［比較例１］
〈アーケノール法〉
実施例１と同様の容器に、含水率６．７％、ホロセルロース０．６３４ｇを含む杉（針葉樹）チップ１．０ｋｇと、７２質量％硫酸１．１ｋｇを投入し、２８℃で４５分間脱結晶化処理を行った。
その後、硫酸濃度が３０質量％となるように温水をこの中に注入し、９５℃で９０分間第１段目の加水分解反応処理を行った。
【００７９】
次いで、この処理液を約４０℃まで冷却し、第１段目の固液分離操作を行った。
実施例１と同様にして、得られた第１段目の濾液中の単糖濃度（質量％）を測定し、単糖量を算出した。
その結果、第１段目の濾液中の単糖量は、０．３１０ｋｇであった。
この単糖量から、ホロセルロース質量を基準とした、第１段目の加水分解反応におけるホロセルロースから単糖への変換率を求めると、４８．８％であった。
【００８０】
第１段目の固液分離で得られた固形物（フィルターケーキ）２．０ｋｇに、３０質量％硫酸１．４５ｋｇを投入し、９５℃で３０分間第２段目の加水分解反応処理を行った。
これから、使用した硫酸の１００％換算量を求めると、１．２３ｋｇ（＝１．１ｋｇ×０．７２＋１．４５×０．３）であり、硫酸／バイオマス（絶対乾燥量）の質量混合比を計算すると、１．３２であった。
【００８１】
次いで、この処理液を約４０℃まで冷却し、第２段目の固液分離操作を行った。
実施例１と同様にして、得られた第２段目の濾液中の単糖濃度（質量％）を測定し、単糖量を算出した。
【００８２】
その結果、第２段目の濾液中の単糖量は、０．１９６ｋｇであった。これは、第１段目の加水分解反応後の固形物に付着した単糖も含んだ第２段目の加水分解反応後の数値である。したがって、この数値から、第２段目の加水分解反応の原料として使用する固形物に付着していた第１段目の加水分解反応で生成した単糖の量を差し引く必要がある。
差し引き後の単糖量は、０．０４７ｋｇ(第２段目の加水分解反応後のみの値)であった。
また、この単糖量から、ホロセルロース質量を基準とした、第２段目の加水分解反応におけるホロセルロースから単糖への変換率を求めると、７．２％であった。
【００８３】
第１段目の加水分解反応と第２段目の加水分解反応で得られた単糖量から、杉を原料とした「アーケノール法」（２段階加水分解法）によるホロセルロース質量を基準とした、最終的なホロセルロースから単糖への変換率を求めると、５６．０%であった。
【００８４】
［比較例２］
〈アーケノール法〉
実施例１と同様の容器に、含水率７．５％、ホロセルロース０．６７１ｇを含むコジイ（広葉樹）チップ１．０ｋｇを、比較例１と同様にして、脱結晶化処理、第１段目の加水分解反応処理、第１段目の固液分離操作を行った。
【００８５】
実施例１と同様にして、得られた第１段目の濾液中の単糖濃度（質量％）を測定し、単糖量を算出した。
その結果、第１段目の濾液中の単糖量は、０．３４４ｋｇであった。
この単糖量から、ホロセルロース質量を基準とした、第１段目の加水分解反応におけるホロセルロースから単糖への変換率を求めると、５１．２％であった。
【００８６】
第１段目の固液分離で得られた固形物（フィルターケーキ）２．１ｋｇに、３０質量％硫酸１．４ｋｇを投入し、比較例１と同様にして、第２段目の加水分解反応処理、第２段目の固液分離操作を行った。
これから、使用した硫酸の１００％換算量を求めると、１．２８ｋｇ（＝１．２ｋｇ×０．７２＋１．４５×０．３）であり、硫酸／バイオマス（絶対乾燥量）の質量混合比を計算すると、１．３８であった。
【００８７】
比較例１と同様にして、第２段目の濾液中の単糖量を求めると、０．２２７ｋｇであった。
この数値から、第２段目の加水分解反応の原料として使用する固形物に付着していた第１段目の加水分解反応で生成した単糖の量を差し引いた単糖量は、０．０５７ｋｇ(第２段目の加水分解反応後のみの値)であった。
また、この単糖量から、ホロセルロース質量を基準とした、第２段目の加水分解反応におけるホロセルロースから単糖への変換率を求めると、８．５％であった。
【００８８】
第１段目の加水分解反応と第２段目の加水分解反応で得られた単糖量から、コジイを原料とした「アーケノール法」（２段階加水分解法）によるホロセルロース質量を基準とした、最終的なホロセルロースから単糖への変換率を求めると、５９．７%であった。
【００８９】
実施例１において、生成単糖−１と生成単糖−４の単糖量を比較すると、大きな違いが見られないことから、第１バッチ処理第１処理工程で未使用の３０質量％の硫酸を使用した場合と、第２バッチ処理第１処理工程で第１バッチ処理後の濾液（２）を使用した場合とでは、新たな杉チップから得られるヘミセルロース由来の生成単糖量には、ほとんど差がないことが確認された。
この結果、最初の原料（原料−１）を処理する第１バッチ処理には、未使用の純粋な硫酸の投入が必要であるが、第２バッチ処理以降の原料（原料−２以降）に対しては、それ以前のバッチ処理の濾液（２）を使用できることが確認された。
【００９０】
また、生成単糖−２と生成単糖−５の単糖量を比較すると、大きな違いが見られないことから、第１バッチ処理後の濾液（２）と第２バッチ処理後の濾液（２）では、硫酸と共存する単糖（主にグルコース）の過分解がほとんど起こらないことが確認された。
この結果、濾液（２）導入工程を設けても、単糖の過分解は起こらず、硫酸使用量を低減できることが確認された。
【００９１】
実施例１〜２と比較例１〜２とを比べると、比較例１〜２の単糖変換率は６０％未満であったのに対し、実施例１〜２のそれは、８０％以上の高い単糖変換率であった。
【００９２】
以上のことから、本発明の製造方法によれば、高い単糖変換率が得られることが確認された。
【産業上の利用可能性】
【００９３】
繊維系バイオマスが排出される分野（建設分野、食品分野等）、アルコール製造分野、アルコール混合燃料製造分野、グルコースを発酵原料（炭素源）として利用している分野（ポリ乳酸製造、アミノ酸製造等）に応用できる。
【図面の簡単な説明】
【００９４】
【図１】本発明の第１の実施形態にかかる単糖製造方法の工程図である。
【図２】本発明の第２の実施形態にかかる単糖製造方法の工程図である。
【図３】本発明の第３の実施形態にかかる単糖製造方法の工程図である。
【図４】本発明の実施形態にかかる噴霧・混合と、混練と、第２段目の加水分解反応を連続させた単糖製造装置の概略図である。
【図５】アーケノール法に係る単糖製造方法の工程図である。
【符号の説明】
【００９５】
１  第１処理工程
２  第１固液分離工程
３  糖・酸分離工程
４  第４処理工程
５  硫酸噴霧・混合工程
６  混練工程
７  第２処理工程
８  第３処理工程
９  第２固液分離工程
１０  硫酸回収・濃縮工程
１１  濾液（２）導入工程
２００  硫酸噴霧混合装置
３００  連続混練装置
４００  加水分解反応装置
【図１】
2005229821.tif 000003
【図２】
2005229821.tif 000004
【図３】
2005229821.tif 000005
【図４】
2005229821.tif 000006
【図５】
2005229821.tif 000007